(57)【要約】【課題】逆風による送風ファンの破損を防止できる室外ユニットを提供する。【解決手段】吹出口を正面において有するケーシングと、ケーシング内の後側に配置された空気熱交換器と、ケーシング内の前側に配置された送風ファン（１）とを備え、空気熱交換器で熱交換された空気を送風ファン（１）により吹出口を通して吹き出す室外ユニット（１０）において、送風ファン（１）にブレーキパッド（１４）が接続されており、送風ファン（１）の回転数が予め定めた閾値以上の場合にブレーキパッド（１４）が室外ユニット（１０）に設けられた当接部（３１ａ）に接触する。【選択図】      図３
2004347209.tif 000002
【特許請求の範囲】
【請求項１】
吹出口を正面において有するケーシングと、
前記ケーシング内の後側に配置された空気熱交換器と、
前記ケーシング内の前側に配置された送風ファンとを備え、
前記空気熱交換器で熱交換された空気を前記送風ファンにより前記吹出口を通して吹き出す室外ユニットにおいて、
前記送風ファンにブレーキパッドが接続されており、前記送風ファンの回転数が予め定めた閾値以上の場合に前記ブレーキパッドが前記室外ユニットに設けられた当接部に接触することを特徴とする室外ユニット。
【請求項２】
前記室外ユニットの当接部は、前記送風ファンの半径方向において前記ブレーキパッドよりも外側に配置されており、前記送風ファンの回転数が予め定めた閾値以上の場合に前記ブレーキパッドが前記当接部に接触するように、前記ブレーキパッドがばねによって前記送風ファンの半径方向内側に付勢されて前記送風ファンに接続されていることを特徴とする請求項１に記載の室外ユニット。
【請求項３】
前記室外ユニットの当接部は、前記ケーシングの正面を構成するファンガードに設けられていることを特徴とする請求項１又は２に記載の室外ユニット。
【請求項４】
前記予め定めた閾値は、前記送風ファンが破損する可能性のある回転数であることを特徴とする請求項１〜３のいずれか１項に記載の室外ユニット。
【請求項５】
請求項１〜４のいずれか１項に記載の室外ユニットを用いた家庭用空気調和機。
【請求項６】
請求項１〜４のいずれか１項に記載の室外ユニットを用いたヒートポンプ式給湯機。
【発明の詳細な説明】
【０００１】
【発明の属する技術分野】
本発明は、冷凍サイクルが内蔵されている室外ユニットに関し、室外ユニットを用いた家庭用空気調和機又はヒートポンプ式給湯機に適用される。
【０００２】
【従来の技術】
従来、家庭用空気調和機やヒートポンプ式給湯機の室外ユニットは、熱交換器と、熱交換器の風下側に配置された送風ファンとを内部に収納するケーシングを備えている。これにより、送風ファンをモータで駆動回転させることにより、熱交換器等の冷媒中の熱と熱交換した空気をケーシングの正面の吹出口から室外ユニットの外に排出する（例えば、特許文献１参照。）。
【０００３】
【特許文献１】
特開２００２−１９５６１０号公報
【０００４】
ところで、室外ユニットは屋外に設置されているので、室外ユニットの吹出口を通って送風ファンに当たることにより、送風ファンが通常の駆動回転方向と逆方向に回転してしまうことがある。この送風ファンの逆回転は、例えば台風などの風が強い場合には、送風ファンの回転数が非常に高くなり、送風ファンの羽根が破損してしまうという問題や、送風ファンがインバータ駆動式であるならば送風ファンの逆回転に伴うモータの逆回転によって発生する逆起電圧によってインバータ等の電気部品が破壊されてしまうという問題がある。
【０００５】
【発明が解決しようとする課題】
上記問題点に鑑み、本発明の目的は、逆風による送風ファンの破損を防止できる室外ユニットを提供することである。
【０００６】
【課題を解決するための手段】
本発明の請求項１に係る室外ユニットによれば、吹出口を正面において有するケーシングと、ケーシング内の後側に配置された空気熱交換器と、ケーシング内の前側に配置された送風ファンとを備え、空気熱交換器で熱交換された空気を送風ファンにより吹出口を通して吹き出す室外ユニットにおいて、送風ファンにブレーキパッドが接続されており、送風ファンの回転数が予め定めた閾値以上の場合にブレーキパッドが室外ユニットに設けられた当接部に接触する。これにより、送風ファンの回転数が予め定めた回転数以上の場合において送風ファンに設けたブレーキパッドが室外ユニットに設けた当接部に接触することで送風ファンを制動することができ、逆風による送風ファンの破損を防止することができる。
【０００７】
請求項２に係る室外ユニットによれば、室外ユニットの当接部は、送風ファンの半径方向においてブレーキパッドよりも外側に配置されており、送風ファンの回転数が予め定めた閾値以上の場合にブレーキパッドが当接部に接触するように、ブレーキパッドがばねによって送風ファンの半径方向内側に付勢されて送風ファンに接続されている。これにより、送風ファンの回転数が予め定めた回転数以上の場合において、ブレーキパッドに半径方向外側に作用する遠心力が半径方向内側に作用するばねの付勢力を上回ることにより、ブレーキパッドが当接部に接触するように構成されている、すなわち、送風ファンのブレーキ作用が機械的な機構で実現されるので、送風ファンのブレーキ作用の確実性が保証される。
【０００８】
請求項３に係る室外ユニットによれば、室外ユニットの当接部は、ケーシングの正面を構成するファンガードに設けられている。これにより、ファンガードと当接部を共用することにより、製造コストを低減することができる。
【０００９】
請求項４に係る室外ユニットによれば、予め定めた閾値は、送風ファンが破損する可能性のある回転数である。これにより、送風ファンが破損しない回転数未満に送風ファンの回転数を確実に保つことができ、確実に送風ファンの破損を防止することができる。
【００１０】
請求項５に係る家庭用空気調和機によれば、家庭用空気調和機に上記室外ユニットが用いられている。このように、室外ユニットが家庭用空気調和機に適用されうる。
【００１１】
請求項６に係るヒートポンプ式給湯機によれば、ヒートポンプ式給湯機に上記室外ユニットが用いられている。このように、室外ユニットがヒートポンプ式給湯機に適用されうる。
【００１２】
【発明の実施の形態】
以下、本発明の実施例について添付図面を参照して詳細に説明する。図１は本発明の室外ユニットを用いたヒートポンプ式給湯機１００の模式図である。ヒートポンプ式給湯機１００の回路は、水回路２０と冷媒回路３０からなる。
【００１３】
水回路２０の構成について説明する。水回路２０は、例えば水道水からなる水を運搬する回路であり、貯湯タンク９０と、循環ポンプ４０と、水と冷媒回路３０中の冷媒と熱交換するための水冷媒熱交換器５０とが配置されている。水回路２０の流れについて便宜的に貯湯タンク９０から説明すると、最初に、貯湯タンク９０を介して給水される室温の水は、循環ポンプ４０によって水冷媒熱交換器５０まで搬送され、ここで高温の冷媒との熱交換により例えば９０°などの高温に加熱される。このように加熱された湯は、貯湯タンクに貯蔵されるか、給湯又は風呂の用途のためにさらに下流へ流される。
【００１４】
次に冷媒回路３０の構成について説明する。冷媒回路３０は、例えばフロンからなる冷媒を循環させる回路であり、コンプレッサ８０と、冷媒と水回路中２０の水とを熱交換するための水冷媒熱交換器５０と、減圧装置６０と、室外ユニット１０の空気熱交換器（蒸発器）と、アキュムレータ７０とが配置されている。なお、コンプレッサ８０は、コンバータ（図示せず）によって外部電源の交流電圧から変換された直流電圧を供給されて駆動される。冷媒回路３０の流れについて便宜的にコンプレッサ８０から説明すると、最初、アキュムレータ７０から冷媒は、コンプレッサ８０により、冷媒は高温高圧の気体となる。この高温高圧の気体状の冷媒は、水冷媒熱交換器５０において室温の水との熱交換により冷却されて液化する。この冷媒は、減圧装置６０で膨張させられて低温低圧状態の液体となる。次に、冷媒は、室外ユニット１０の空気熱交換器で室温の空気と熱交換される。これにより、冷媒は加熱されて膨張して霧状に気化する。ここで、送風ファン１により空気熱交換器に送風することによって、冷媒と空気の熱交換を促進する。最後に、空気熱交換器で気化した冷媒は、アキュムレータ７０に貯蔵され、気体と液体に分離される。気体状の冷媒がコンプレッサ８０へ供給される。なお、本実施例では、減圧装置６０として、作動状態により冷媒流量を制御できる電気式エキスパンションバルブを採用する。
【００１５】
次に室外ユニット１０の送風ファン１について説明する。図２は本発明の第一実施例のファン回転抑制機構の側断面図である。室外ユニット１０は、ケーシングの内部において前側から後側に向けて、図２における左側に示すケーシングの正面の一部を構成するファンガード３と、送風ファン１と、送風ファン１を回転駆動するモータ２と、空気熱交換器（図示せず）とが配置されている。なお、ファンガード３は、例えば網状で無数の吹出口を有する。このような構成により、電子制御装置（図示せず）からの指令に応答してモータ２に起動電力を与えて送風ファン１を約６００〜１０００ｒｐｍ程度の速度で回転させることにより、空気熱交換器からファンガード３の吹出口を通して室外ユニット１０の外へ流れる空気流を形成し、空気熱交換器における冷媒と空気の熱交換を促進する。
【００１６】
この送風ファン１は、ファンガード３の吹出口を通して逆風を受けて回転駆動方向と逆方向に回転することがある。この回転数は、例えば台風などの風が強い時には約２０００ｒｐｍの高回転（異常回転と呼ぶ）となり、送風ファン１が破損してしまう可能性がある。そこで、本発明では、以下に説明するように、送風ファン１の回転数を抑制するためのファン回転抑制機構を提供する。
【００１７】
本発明のファン回転抑制機構について図２及び３を参照しつつ説明する。図３は第一実施例のファン回転抑制機構の正面図である。ファン回転抑制機構は、送風ファン１と接続されたブレーキパッド１４と、ブレーキパッド１４が当接する、室外ユニット１に設けられた当接部３１ａで構成される。ブレーキパッド１４は、送風ファン１のハブ１１に取り付けられたプレート１２上において、プレート１２に固定されたピン１６回りに回転可能に留められている。また、ブレーキパッド１４は、中央に配置されたピン１５に一端が接続されているばね１３の他端と接続されており、送風ファン１の半径方向内側に付勢されている。一方、当接部３１ａは、ブレーキパッド１４の半径方向外側において、ブレーキパッド１４を囲うように、ファンガード３の内面からケーシングの内側に向けて延びている筒状部材３１の内面である。この当接部３１ａは、ブレーキパッド１４が半径方向外側に変位する時にブレーキパッド１４と当接するように位置している。
【００１８】
このような構成により、送風ファン１の回転数が増大すると、ブレーキパッド１４に半径方向外側に作用する遠心力が、半径方向内側に作用するばね１３の付勢力を上回り、図４に示すように、ブレーキパッド１４がファンガード３の当接部３１ａに接触し、送風ファン１の回転を制動することができる。なお、このブレーキパッド１４が当接部３１ａに接触する時の送風ファン１の回転数（閾値と呼ぶ）は、ブレーキパッド１４とばね１３を設定することによって予め定めることができる。例えば、送風ファン１が破損する可能性のある回転数を閾値として予め定めることにより、送風ファン１の回転数を送風ファン１の破損しない回転数に確実に保つことができる。
【００１９】
ブレーキパッド１４の数は、本実施例では２つであり、二つのブレーキパッド１４は、送風ファン１の軸線に対して回転対称にプレート１２上に配置されている。当然、ブレーキパッド１４が送風ファン１の中心軸線に対して回転対称にプレート１２上に配置されているならば、ブレーキパッド１４は三つ以上でもよい。
【００２０】
次に本発明の第二実施例のファン回転抑制機構について説明する。図５は第二実施例のファン回転抑制機構の正面図である。ファン回転抑制機構は、第一実施例と同様であるが、ブレーキパッド１４をプレート１２に留めるピン１６を省略した構成である。これにより、製造コストを低減することができるという利点がある。
【００２１】
本発明の実施例では、本発明の室外ユニットをヒートポンプ式給湯機に適用した例で説明したが、当然、本発明の室外ユニットはヒートポンプ式給湯機に代わって家庭用空気調和機を適用してもよい。
【図面の簡単な説明】
【図１】本発明の室外ユニットを用いたヒートポンプ式給湯機の模式図である。
【図２】本発明の第一実施例のファン回転抑制機構の側断面図である。
【図３】本発明の第一実施例のファン回転抑制機構の正面図である。
【図４】本発明の第一実施例のファン回転抑制機構の送風ファン制動時の正面図である。
【図５】本発明の第二実施例のファン回転抑制機構の正面図である。
【図６】本発明の第二実施例のファン回転抑制機構の送風ファン制動時の正面図である。
【符号の説明】
１…送風ファン
１０…室外ユニット
１４…ブレーキパッド
３１ａ…当接部
【図１】
2004347209.tif 000003
【図２】
2004347209.tif 000004
【図３】
2004347209.tif 000005
【図４】
2004347209.tif 000006
【図５】
2004347209.tif 000007
【図６】
2004347209.tif 000008